(57)【特許請求の範囲】
【請求項１】
被調製穀粒を揚送する穀粒昇降装置であって、
駆動プーリと従動プーリとに搬送ベルトを懸架し、
前記穀粒昇降装置の外装体は前記搬送ベルトを囲む受け形状を成し、前記搬送ベルトの揚送側にはその搬送ベルトの内側に沿った案内壁を設けて穀粒揚送路を形成し、この穀粒揚送路内において前記搬送ベルトの外周面および側面を搬送ベルトの回転にともなって被調製穀粒を揚送する揚送面として当該被調製穀粒に揚送作用を与える抵抗面とし、さらに前記搬送ベルトの外周面には、被調製穀粒を揚送する突起をベルトの回転方向に複数個形成して成ることにより、前記穀粒揚送路内で被調製穀粒が跳ね上げ作用を受けながら押し送りされることによって、被調製穀粒が前記突起による押し送りと跳ね上げの両方作用を受けて、その相乗作用により、前記穀粒揚送路内において被調製穀粒の滞りが生ぜずに、搬送ベルトを止めた際の詰まりも生じないように揚送することを特徴とする穀粒昇降装置。
【請求項２】
穀粒調製装置本体の平面壁に対して前記穀粒昇降装置の前記外装体を一体に構成されていることを特徴とする請求項１記載の穀粒昇降装置。
【請求項３】
駆動プーリと従動プーリとに懸架した搬送ベルトを適度の緊張状態に保持するベルトテンション機構を備えていることを特徴とする請求項１または２記載の穀粒昇降装置。
【請求項４】
ベルトテンション機構は、駆動プーリと従動プーリ間の穀粒非搬送側に備えていることを特徴とする請求項３記載の穀粒昇降装置。
【発明の詳細な説明】
【技術分野】
【０００１】
本発明は、穀粒を粒状により選別する穀粒選別装置その他各種穀粒調製装置に備える穀粒昇降装置に関するものである。
【背景技術】
【０００２】
穀粒選別装置その他各種穀粒調製装置に備える穀粒昇降装置としては、特開２００６−３３５４９１公報、特開２００６−３２１６１９公報、特開２００１−３３３４３０公報等に記載されているように種々のものが知られている。
【特許文献１】特開２００６−３３５４９１公報
【特許文献２】特開２００６−３２１６１９公報
【特許文献３】特開２００１−３３３４３０公報
【発明の開示】
【発明が解決しようとする課題】
【０００３】
従来のこの種の穀粒昇降装置は、いずれも穀粒昇降装置として穀粒調製装置本体とは独立した構成のものとなっており、穀粒調製装置本体に併設したり、あるいは穀粒調製装置本体に取り付けて一体化されるものであるから、穀粒調製装置本体の機能的な一部として穀粒昇降装置を一体化することができないものであった。
【０００４】
そこで本発明は、駆動プーリと従動プーリとに搬送ベルトを懸架し、この搬送ベルトの外周面および側面を搬送ベルトの回転にともなって被調製穀粒を揚送する揚送面とすることをもって穀粒昇降装置を構成することにより、穀粒選別装置その他各種穀粒調製装置本体の一部機能ないしはそれと渾然一体化できる穀粒昇降装置を提供することを目的とするものである。
【課題を解決するための手段】
【０００５】
上記目的を達成するため、本発明は請求項１ないし４に係る穀粒昇降装置を提供する。
【０００６】
すなわち、請求項１に係る穀粒昇降装置は、被調製穀粒を揚送する穀粒昇降装置であって、
駆動プーリと従動プーリとに搬送ベルトを懸架し、前記穀粒昇降装置の外装体は前記搬送ベルトを囲む受け形状を成し、前記搬送ベルトの揚送側にはその搬送ベルトの内側に沿った案内壁を設けて穀粒揚送路を形成し、この穀粒揚送路内において前記搬送ベルトの外周面および側面を搬送ベルトの回転にともなって被調製穀粒を揚送する揚送面として当該被調製穀粒に揚送作用を与える抵抗面とし、さらに前記搬送ベルトの外周面には、被調製穀粒を揚送する突起をベルトの回転方向に複数個形成して成ることにより、前記穀粒揚送路内で被調製穀粒が跳ね上げ作用を受けながら押し送りされることによって、被調製穀粒が前記突起による押し送りと跳ね上げの両方作用を受けて、その相乗作用により、前記穀粒揚送路内において被調製穀粒の滞りが生ぜずに、搬送ベルトを止めた際の詰まりも生じないように揚送することを特徴とするものである。
【０００７】
請求項２に係る穀粒昇降装置は、請求項１の構成において、穀粒調製装置本体の平面壁に対して前記穀粒昇降装置の前記外装体を一体に構成されていることを特徴とするものである。
【０００８】
請求項３に係る穀粒昇降装置は、請求項１または２の構成において、駆動プーリと従動プーリとに懸架した搬送ベルトを適度の緊張状態に保持するベルトテンション機構を備えていることを特徴とするものである。
【０００９】
請求項４に係る穀粒昇降装置は、請求項３の構成において、ベルトテンション機構は、駆動プーリと従動プーリ間の穀粒非搬送側に備えていることを特徴とするものである。
【発明の効果】
【００１０】
本発明によれば、駆動プーリと従動プーリとに搬送ベルトを懸架し、この搬送ベルトの外周面および側面を搬送ベルトの回転にともなって被調製穀粒を揚送する揚送面とすることをもって穀粒昇降装置を構成することにより、穀粒選別装置その他各種穀粒調製装置本体の一部機能ないしはそれと渾然一体化できる穀粒昇降装置が得られるものである。
【発明を実施するための最良の形態】
【００１１】
図面は本発明の一実施の形態に係る穀粒昇降装置を例示している。図１は穀粒昇降装置の要部を示す分解斜視図、図２は穀粒昇降装置の断面図、図３は穀粒昇降装置を穀粒調製装置に組み付けた態様を示す斜視図である。
【００１２】
図１および図２に示すように、穀粒昇降装置１は、駆動プーリ２と従動プーリ３とに搬送ベルト４を懸架して構成され、この搬送ベルト４はその外周面を搬送ベルトの回転にともなって被調製穀粒を揚送する揚送面としたものである。図示の実施の形態では、搬送ベルト４の揚送面を、被調製穀粒を揚送する突起５をベルトの回転方向に適当な間隔をおいて多数設けて構成している。搬送ベルト４はその側面も外周面とともに揚送面として作用するものである。
【００１３】
穀粒昇降装置１の外装体６は搬送ベルト４を囲む受け形状を成していて、搬送ベルト４の揚送側にはその内側に沿った案内壁７を設けて穀粒揚送路８を形成している。また、外装体６の下部には、穀粒揚送路８に通じるように従動プーリ３の外周下部を取り巻く円弧状の案内壁９を設けてあり、その穀粒揚送路８に通じる部分は搬送方向に細長い糠取りメッシュ面１０となっている。外装体６の駆動プーリ２と従動プーリ３間の穀粒非搬送側には、搬送ベルト４を適度の緊張状態に保持するベルトテンション機構１１を備えている。
【００１４】
外装体６の前面は覆い蓋板１２により閉蓋される。この覆い蓋板１２の下部前面には穀粒の投入ホッパ１３が備えられており、投入ホッパ１３の穀粒落下口１４は穀粒揚送路８に連通しているとともに、穀粒落下口１４は投入ホッパ１３に投入された穀粒が穀粒揚送路８に滞りなく流れる誘導形状を成している。
【００１５】
本発明に係る穀粒昇降装置１は、図３に示すように穀粒調製装置１５の平面壁１６を利用して組み付けることができる。この構成においては昇降装置１の外装体８は穀粒調製装置１５の平面壁１６と一体に形成されるので、穀粒昇降装置１は穀粒調製装置１５と渾然一体化が図られ、穀粒昇降装置１は穀粒調製装置１５の機能的一部を成しているものとなる。１７は搬入口、１８は駆動モータである。
【００１６】
搬送ベルト４の突起５により穀粒揚送路８を揚送される被調製穀粒は、突起５による押し送りと跳ね上げの両方作用を受けることになって、その相乗作用によって被調製穀粒の揚送効率が高く、また被調製穀粒は穀粒揚送路８内で跳ね上げ作用を受けながら押し送りされるので、穀粒揚送路８内において被調製穀粒の滞りが生ぜず、搬送ベルト４を止めた際の詰まりも生じない。
【００１７】
なお、図示の実施の形態では、搬送ベルト４として突起５を有するものを用いているが、搬送ベルト４は突起に換えて被調製穀粒に揚送作用を与える抵抗体であってよく、また搬送ベルト４自体を抵抗を有する材質としたり、搬送ベルト４の搬送側となる外周面および側面を被調製穀粒に揚送作用を与える抵抗面とすることにより、揚送面を構成することもできる（図示せず）。
【図面の簡単な説明】
【００１８】
【図１】本発明の一実施の形態に係る穀粒昇降装置の要部を示す分解斜視図である。
【図２】同上穀粒昇降装置の断面図である。
【図３】穀粒昇降装置を穀粒調製装置に組み付けた態様を示す斜視図である。
【符号の説明】
【００１９】
１  穀粒昇降装置
２  駆動プーリ
３  従動プーリ
４  搬送ベルト
５  突起
６  外装体
７  案内壁
８  穀粒揚送路
９  円弧状の案内壁
１０  糠取りメッシュ面
１１  ベルトテンション機構
１２  覆い蓋板
１３  投入ホッパ
１４  穀粒落下口
１５  穀粒調製装置
１６  平面壁
１７  搬入口
１８  駆動モータ
【図１】
0005466358.tif 000002
【図２】
0005466358.tif 000003
【図３】
0005466358.tif 000004